(57)【要約】  【課題】背枠構造の椅子において、背枠に保ちかつ外観を損ねないようにして、ランバーサポートを有効に取り付けるようにする。  【解決手段】背枠１に張材２を取り付けて椅子を構成するにあたり、その背枠１の縦辺１２の前面に荷重を受ける方向の隆起部４を設け、この隆起部４に両端部３ａを支持させてランバーサポート３を左右の背枠１の縦辺１２に跨って取り付けるようにしたので、背枠１を補強しつつ、背枠１の全体が外観を損ねることを有効に防止することができる。  【選択図】図２
2008119411.tif 000002
【特許請求の範囲】
【請求項１】
背枠に張材を取り付けて構成される椅子において、前記背枠の前面に荷重を受ける方向の隆起部を設け、この隆起部に両端部を支持させてランバーサポートを左右の背枠に跨って取り付けてなることを特徴とする椅子。
【請求項２】
隆起部の前面に凹部を設け、ランバーサポートの端部を凹部に係り合わせて、受圧より端部を凹部の内壁に押し付けた状態で荷重を支持するようにしている請求項１記載の椅子。
【請求項３】
凹部が、ランバーサポートの端部を昇降させるための溝状のものである請求項２記載の椅子。
【請求項４】
ランバーサポートの前面に張材が位置し、隆起部に、ランバーサポートの端部の昇降動作を許容しつつ凹部を閉止するカバーを設けている請求項３記載の椅子。
【請求項５】
ランバーサポートの前面に張材が位置し、張材に荷重が掛かっていない状態で張材とランバーサポートの間に隙間が設けてある請求項３又は４記載の椅子。
【請求項６】
張材がメッシュ地よりなる請求項５記載の椅子。
【発明の詳細な説明】
【技術分野】
【０００１】
本発明は、オフィス等で好適に使用されるランバーサポートを備えた背枠構造の椅子に関するものである。
【背景技術】
【０００２】
ランバーサポートは、着座者の腰部を支持して負荷を軽減する上で極めて有効なものである。従来の椅子においては、例えば特許文献１等に示されるように、背板等に支持させて、高さ調整可能に取り付けられるのが通例である。
【特許文献１】特開２００６−１１００１４号公報
【発明の開示】
【発明が解決しようとする課題】
【０００３】
ところで、近時のような背枠にメッシュ等の張材を張った椅子では、丁度左右の背枠間に架け渡せばランバーサポート本体を適切な位置に配することができ、背枠を昇降ガイドとして有効利用できる可能性がある。
【０００４】
しかしながら、腰部の負荷を支持するには背枠を厚肉な状態で周回させて強度向上を図る必要があり、これだとスマートな外観が損なわれるし、材料コストの増加にも繋がる。
【０００５】
本発明は、このような背枠構造の椅子にランバーサポートを適切に取り付けるための有効な構造を実現しようとするものである。
【課題を解決するための手段】
【０００６】
本発明は、かかる目的を達成するために、次のような手段を講じたものである。
【０００７】
すなわち、本発明の椅子は、背枠に張材を取り付けて構成される椅子において、前記背枠の前面に荷重を受ける方向の隆起部を設け、この隆起部に両端部を支持させてランバーサポートを左右の背枠に跨って取り付けてなることを特徴とする。
【０００８】
このように構成すると、隆起部においてランバーサポートの取付場所を背枠に有効に確保することができ、同時にその隆起部において背枠の荷重支持方向の強度を高めることができる。しかも、隆起部は背枠に部分的に設ければ足り、背枠全体を厚肉化する必要がない上に、腰部付近は目立ちにくく、さらに背枠の前面に設ければ張材等によっても隠されるので、背のスマートな外観を担保し、材料コストの増加も有効に回避することができる。
【０００９】
確実な支持状態と着脱のし易さとを両立させるためには、隆起部の前面に凹部を設け、ランバーサポートの端部を凹部に係り合わせて、受圧より端部を凹部の内壁に押し付けた状態で荷重を支持するように構成しておくことが望ましい。
【００１０】
その際、ランバーサポートの高さ調整機能を実現するためには、凹部を、ランバーサポートの端部を昇降させるための溝状のものにしておくことが望ましい。
【００１１】
ランバーサポートの保持状態を確実にし、前面に張材が位置する場合にも良好な操作性を確保するためには、隆起部に、ランバーサポートの端部の昇降動作を許容しつつ凹部を閉止するカバーを設けておくことが好ましい。
【００１２】
ランバーサポートの前面に張材が位置する場合にも、ランバーサポートを適切に動作させるためには、張材に荷重が掛かっていない状態で張材とランバーサポートの間に隙間を設けておくことが好都合である。
【００１３】
このような位置関係は、張材がメッシュ地よりなる場合に外観の確保からも特に有効となるものである。
【発明の効果】
【００１４】
本発明は、以上説明した構成であるから、背枠を、外観を損ねることなく有効に補強しつつ、ランバーサポートの端部を的確に支持させることができ、しかもコスト増となることを回避して、シンプルであってもランバーサポート機能に優れた椅子を提供することができる。
【発明を実施するための最良の形態】
【００１５】
以下、本発明の一実施形態を、図面を参照して説明する。
【００１６】
この実施形態の椅子は、図１及び図２に示すように、背枠１の外周に溝１ａを設けてメッシュ地からなる張材２を取り付けるとともに、背枠１にランバーサポート３を架け渡してなるものである。
【００１７】
背枠１は、樹脂成形によるもので、外縁に図３に示すような２条の溝１ｘ、１ｙを少なくとも図１の上辺部１１及び側辺部１２に亘って連続させており、前方に位置する溝１ｘに張材３の縁部３ａを差し込んで取り付け、後方に位置する溝１ｙを利用してヘッドレストやハンガー等のオプション部材を張材３と干渉することなく取り付け得るようにしている。張材３は背枠１の溝１ｘから出た付近で背枠１の前面に密着して支持され、背枠１の前面はそこから背の中央に近づくほど張材３から離れる方向に緩やかに湾曲する湾曲面１ｚとなっており、張材３に荷重が掛かった際に、張材３が撓んで漸次その湾曲面１ｚへの接触面積を増やすようになっている。
【００１８】
そして、図２及び図４に示すように、着座者の腰部の高さ付近において背枠１の前面に隆起部４を一体に設け、この隆起部４にランバーサポート３の左右両端部３ａを支持させている。
【００１９】
隆起部４は、荷重を受ける方向に突出して背枠１の肉厚を補うブロック体状のもので、前面４ａに上下方向に延びる凹部たる溝４１を設けており、その溝４１の上下位置に穴４２を開口させている。
【００２０】
一方、ランバーサポート３は、図５及び図６に示すように、樹脂成形によりランバーサポート本体部３１の両側に一対の薄板状をなす支持部３２を一体に設けたもので、その支持部３２の端部３ａの後面に設けた突起３ｂを、図４に示す隆起部４の溝４１に前方から上下スライド可能に挿入するようにしている。そして、その上から抜け止め用のカバー５を装着するようにしている。カバー５は板材５１の後面における上下２箇所に凸部５２を有しており、この凸部５２を隆起部４の穴４２に緊密に圧入するようにしており、装着状態で板材５１と隆起部４の前面４ａとの間に、少なくともランバーサポート３の支持部３２の板厚寸法に相当するクリアランスが確保されて支持部３２が円滑に上下動できるようにしている。ランバーサポート３が受圧した際には、支持部３の端部３ａに設けた突起３ｂが溝４１の内壁の適宜部位に荷重とほぼ直交する方向に押し付けられた状態で荷重を支持することとなる。この隆起部４はカバー５も含めて、図３に示した背枠１の湾曲面１ｚと張材３との間に配置される。
【００２１】
ランバーサポート本体部３１は、図５〜図７に示すように、前面に腰部に対応する凹状となるように湾曲するサポート面３１ａを有し、裏面に縦リブ３１ｂを介して支持部３２の基端を連設しているもので、支持部３２の前面に対してサポート面３１ａがやや突出した状態に配される。そして、サポート面３１ａの幅方向縁部近傍から縦リブ３１ｂを経て支持部３２に至る平面視コ字形の部分（図８参照）に、外側方に開口する溝３ｘを形成している。前述した縦リブ３１ｂはランバーサポート本体部３１の幅方向外縁３１ｓよりも中央よりに入り込んだ位置にあり、溝３ｘはそれに対応して中央側に変位している。ランバーサポート本体部３１のサポート面３１ａの中央には後方に向けてボス穴３１ｃが突出しており、縦リブ３１ｂの内方の適宜箇所には、後方に向かって迫り出した後に折り返して先端３１ｄ１を前方に向けた爪３１ｄが設けてある。爪３１ｄの更に内方には若干のクリアランスを経て縦リブ３１ｂとの間に凹部３１ｅを形成する壁３１ｆが配置してある。
【００２２】
支持部３２は、ランバーサポート本体部３１の幅方向外縁３１ｓから側方に、前方に向けて凹となるように湾曲しつつ延出して、先端３ａを前述した背枠１の縦辺１２の前面に対応する部位に位置づけられるもので、この先端に前述した後向の突起３ｂを形成している。この支持部３２は、ランバーサポート本体部３１が受圧した際に、弾性によって変位又は変形することができる。
【００２３】
また、ランバーサポート本体部３１には、後面を蓋封する位置にカバー３３を取り付けるようにしている。このカバー３３は、前記ランバーサポート本体部３１のサポート面３１ａに対向する位置に面板部３３ａを有するもので、この面板部３３ａは後方に向かってゆるやかな凸となるように湾曲している。そして、この面板部３３ａの中央に前記ランバーサポート本体部３１のボス穴３１ｃに対応するボス部３３ｃを設け、幅方向縁部３３ｓの近傍に前記ランバーサポート本体部３１の爪３１ｄに対応する爪３３ｄを設けている。この爪３３ｄの先端３３ｄ１は前記爪３１ｄとは逆に後方を向いている。
【００２４】
そして、図８〜図１０に示すように、カバー３３をランバーサポート本体部３１に対して、そのボス部３３ｃをボス穴３１ｃに挿入し、その爪３３ｄの先端３３ｄ１を凹所３１ｅ内において爪３１ｄ１に係り合わせて装着するようにしている。これらの爪３１ｄ、３３ｄは、係り合うときには容易に弾性変形するが抜脱方向の外力に対しては縦リブ３１ｂ及び壁３１ｆのバックアップもあってより深く係り合う関係にある。図１０において符合３３ｄ２で示すものは、工具を挿入して爪３１ｄを変形させるための窓であり、爪３１ｄ、３３ｄ同士の解除はこれによってなされる。上記と同様の関係の爪３１ｇ，３３ｇが上下の縁部近傍にも設けてある。したがって、受圧により爪３１ｄ、３３ｄ同士あるいは３１ｇ、３３ｇ同士の係り合いの部分がこじれても、意図的に外さない限りランバーサポート本体部３１とカバー３３の解離は難しいものとなっている。
【００２５】
そしてこの状態で、図８に示すように、カバー３３の面板部３３ａの幅方向縁部３３ｓと支持部３２との間に外側方に開口する間隙３ｙが形成されるとともに、図９に示すように、当該面板部３３ａの上下方向の縁部３３ｔとランバーサポート本体部３１の上下方向の縁部３１ｔとの間に間隙３ｚが形成されるようにしてあり、特に支持部３２からはみだした領域すなわちランバーサポート本体部３１とカバー３３とが直接対面する位置に形成される上記の間隙３ｚは、カバー３３と支持部３２との間に形成される溝３ｙに連続するのみならず、支持部３２とランバーサポート本体部３１との間に形成される溝３ｘにも連続するものとなっている。つまり、溝３ｘ、３ｚによってランバーサポート本体部３の外周に沿ってほぼ全域に周回溝が形成され、また溝３ｙ、３ｚによってもカバー３３の外周に沿ってほぼ全域に周回溝が形成されるものとなっている。
【００２６】
そして、図１０に示すように、ランバーサポート本体部３１の前面にクッション材３４を当てがってこれらを表皮材３５で包み、カバー３３の後面にコア材３６を当てがってこれらを表皮材３７で包むようにしている。クッション材３４はランバーサポート本体部３１に適度な弾力を付与すべく設けられるウレタン等の素材よりなるもので、ランバーサポート本体部３１のサポート面３１ａにほぼ対応する形状をなしている。そして、表皮材３５を周囲に紐３５ａを縫製により取り付けたきんちゃく状のものにしておき、内側の開口縁３５ｂ側からクッション材３４及びランバーサポート本体部３１を覆うように被せ、その位置で紐３５ａを絞ることにより、その開口縁３５ｂを紐３５ａとともに図８に示す溝３ｘ及び図９に示す間隙３ｚに収容するようにしている。また、コア材３６はクッション材３４にほぼ対応する形状を付与して意匠上このランバーサポート３が前後方向でほぼ同等の見え掛かりとなることを意図したもので、ウレタン等の素材よりなっている。そして、表皮材３７を周囲に紐３７ａを縫製により取り付けたきんちゃく状のものにしておき、内側の開口縁３７ｂ側からコア材３６及びカバー３３を覆うように被せ、その位置で紐３７ａを絞ることにより、その開口縁３７ｂを紐３７ａとともに図８に示す間隙３ｙ及び図９に示す間隙８ｚに収容するようにしている。
【００２７】
図１１はランバーサポート３の完成状態を示す図である。
【００２８】
そして、特に上記の溝３ｘは、間隙３ｙ、３ｚと共同して表皮材３５の開口縁３５ｂを紐３５ａとともに収容して隠蔽する上で有用となるばかりか、次のようなランバーサポート機能を高める働きをもなすものである。
【００２９】
すなわち、このランバーサポート３は、図８等に示したように支持部３２の基端３２ａがランバーサポート本体部３１の背後に回り込んだ位置より縦リブ３１ｂを介してランバーサポート本体部３１に連なっており、また支持部３２が弾性を有するベルト状をなしていることも相俟って、図１２（ａ）に示すように正面から荷重Ｗ１が作用した際に、同図（ｂ）に示すように縦リブ３１ｂを溝底とするランバーサポート本体部３１と支持部３２の間の溝３ｘが支持部３２とともに変位、変形しつつ受圧位置が後退する。このため、着座時に適度なクッション作用を営んで、柔らかい凭れ心地を与える機能を発揮するものとなる。
【００３０】
また、このように支持部３２の基端３２ａがランバーサポート本体部３の背後に回り込んで縦リブ３１ｂを介してランバーサポート本体部３１に連なっていると、支持部３２が弾性を有するベルト状をなしていることも相俟って、図１３に示すように斜め方向から荷重Ｗ２が作用した際に、荷重方向に応じて左右の縦リブ３１ｂが支持部３２とともに適宜に変位又は変形し、左右の溝３ｘを背反的に拡縮させながら、ランバーサポート本体部３１の首振り動作が引き起こされて、荷重方向に適した姿勢をとるものとなる。
【００３１】
なお、上記のようにしてランバーサポート３の前面には張材２が位置することになるが、張材２に荷重が掛かっていない状態で張材２とランバーサポート３の間には隙間が設定されている。
【００３２】
以上のように、本実施形態の椅子は、背枠１に張材２を取り付けて構成されるものであり、その背枠１の縦辺１２の前面に荷重を受ける方向の隆起部４を設け、この隆起部４に両端部３ａを支持させてランバーサポート３を左右の背枠１の縦辺１２に跨って取り付けるようにしたものである。
【００３３】
このように構成すると、隆起部４においてランバーサポート３の取付場所を背枠１に有効に確保することができ、同時にその隆起部４において背枠１の荷重支持方向の強度を的確に高めることができる。しかも、隆起部４は背枠１に部分的に設ければ足り、背枠１全体を厚肉化する必要がない上に、腰部付近は目立ちにくく、さらに背枠１の前面に設ければ張材２等によっても隠されるので、背のスマートな外観を担保し、材料コストの増加も有効に抑えることが可能となる。
【００３４】
具体的には、隆起部４の前面に凹部４１を設け、ランバーサポート３の端部３ａを突起３ｂを介し凹部４１に係り合わせて、受圧よりその端部３ａの突起３ｂを凹部４１の内壁に押し付けた状態で荷重を支持するようにしているので、ランバーサポート３の端部３ａの突起３ｂを凹部４１に圧入せずとも、隆起部４において荷重を的確に支持することができる、取り付け易いものになる。特に、隆起部４において肉厚が確保されるため、凹部４１の深さも適切に確保することができる。
【００３５】
特に、凹部４１が、ランバーサポート３の端部３ａを突起３ｂを介して昇降させるための溝状のものであるので、背枠１の縦辺１２に沿ってランバーサポート３の高さ調整を有効に行うことができ、しかも荷重が作用した際には端部３ａの突起３ｂを凹部４１の内壁に押し付けて安定、確実な支持状態を得ることができる。
【００３６】
また、ランバーサポート３の前面に張材２が位置し、隆起部４に、ランバーサポート３の端部３ａの昇降動作を許容しつつ凹部４１を閉止するカバー５を設けているので、荷重が作用していない場合に、カバー５によってランバーサポート３の端部３ａの抜け止めを図ることができる。しかも、カバー５の前面に張材２が位置してカバー５と接触していても、ランバーサポート３の端部３ａはカバー５内で昇降するので、ランバーサポート３と張材２との摺動を有効に回避することができる。
【００３７】
さらに、ランバーサポート３の前面に張材２が位置するものの、張材２に荷重が掛かっていない状態で張材２とランバーサポート３の間に隙間が設定してあるので、荷重が掛かっていない状態で、ランバーサポート３を張材２と摺動することなく昇降させることができ、スムーズな操作感を与えることができる。
【００３８】
特に、本実施形態の張材２はメッシュ地であり、後方の物が透視し易くなるが、このような隙間を設定することで、不使用時にはランバーサポート３が前方からシルエットのように視認されるだけで形がはっきり現われなくなるため、椅子の見栄えを良好なものにすることができる。
【００３９】
なお、各部の具体的な構成は、上述した実施形態のみに限定されるものではなく、
本発明の趣旨を逸脱しない範囲で種々変形が可能である。
【図面の簡単な説明】
【００４０】
【図１】本発明の一実施形態に係る椅子の斜視図。
【図２】同椅子のランバー部分の一部破砕した斜視図。
【図３】同椅子の背枠部分の構造を示す部分平断面図。
【図４】同椅子におけるランバーサポートの背枠への取付構造を示す図。
【図５】同ランバーサポートの主要部を分解状態で示す斜め前方斜視図。
【図６】図５に対応した斜め後方斜視図。
【図７】同平面図。
【図８】同一部破断した平断面図。
【図９】図８におけるＡ−Ａ線断面図。
【図１０】同ランバーサポートの全体構成を示す分解斜視図。
【図１１】同ランバーサポートの組立状態を示す図。
【図１２】同ランバーサポートの作用説明図。
【図１３】同ランバーサポートの作用説明図。
【符号の説明】
【００４１】
１…背枠
２…張材
３…ランバーサポート
３ａ…端部
４…隆起部
５…カバー
４１…凹部
【図１】
2008119411.tif 000003
【図２】
2008119411.tif 000004
【図３】
2008119411.tif 000005
【図４】
2008119411.tif 000006
【図５】
2008119411.tif 000007
【図６】
2008119411.tif 000008
【図７】
2008119411.tif 000009
【図８】
2008119411.tif 000010
【図９】
2008119411.tif 000011
【図１０】
2008119411.tif 000012
【図１１】
2008119411.tif 000013
【図１２】
2008119411.tif 000014
【図１３】
2008119411.tif 000015